(57)【要約】【課題】  机上パネル等のパーツの支持を前記パーツの種類に応じて効率的に行うことができるパーツ受け部材を備えた机を得る。【解決手段】  机上パネル５の下部に設けられたピン５ｂと係合する、左右方向に並設された３個の穴７ａ，７ａ・・・を有すると共に、前後方向に間隙Ｂを空けて配設された２枚の天板１，１の両後端部により支持されてなる、パーツ受け部材４を備えた。左右方向の３個の穴７ａ，７ａ・・・を使い分けることにより、机上パネル５等のパーツの種類に応じたパーツの変更作業の効率化を図ることができる。【選択図】        図３
2005081096.tif 000002
【特許請求の範囲】
【請求項１】
机上パネル等のパーツの下部又は机上パネル等を支持する支柱の下部に設けられた係合部材と係合する、左右方向に並設された複数の係合部を有すると共に、前後方向に間隙を空けて配設された２枚の天板の両後端部、又は、１枚の天板の後端部により支持されてなる、パーツ受け部材を備えた机。
【請求項２】
机上パネル等のパーツの下部又は机上パネル等を支持する支柱の下部に設けられた係合部材と係合する、左右方向に並設された複数の係合部を有すると共に、天板の後端縁と間隙を空けて左右方向に架設された支持ビーム、又は、前記天板の後端部及び前記支持ビームにより支持されてなる、パーツ受け部材を備えた机。
【請求項３】
前記係合部が、机上パネル等のパーツの下部又は机上パネル等を支持する支柱の下部に設けられたピンと嵌合する、左右方向に並設された３個の穴である請求項１又は２記載のパーツ受け部材を備えた机。
【請求項４】
前記パーツ受け部材を左右方向に移動可能に支持してなる請求項１〜３のいずれかに記載のパーツ受け部材を備えた机。
【請求項５】
前記パーツ受け部材の上端位置を前記天板の上面よりも上部位置とすると共に、該パーツ受け部材の前記天板の上面よりも上部位置に、着脱自在又は上下方向に回動可能な配線用カバーを取り付けると共に、該配線用カバーの前下端部と前記天板の上面との間に間隙を設けてなる請求項１〜４のいずれかに記載のパーツ受け部材を備えた机。
【発明の詳細な説明】
【技術分野】
【０００１】
本発明は、机上パネル及び液晶アーム等のパーツを支持可能なパーツ受け部材を備えた机に関わり、更に詳しくは、前記パーツの支持を前記パーツの種類に応じて効率的にかつ確実に行うことができる、パーツ受け部材を備えた机に関するものである。
【背景技術】
【０００２】
従来のパーツ受け部材を備えた机としては、机上パネルを取り付けるための装置とコードの配線装置とを兼用し、外観の悪化を招来することなく机上パネルを取り付けできるようにすると共に、コード出し入れ口を塞ぐためのカバー体を構造を複雑化することなく着脱自在に取り付けできるようにすることを目的とし、配線ダクトの両側板のうち天板寄りの一側板における外面の両端部に、上下一対の挟持片を備えた挟持体を固着し、下部の挟持片に、ハンドル付きの押さえねじを螺合し、上部の挟持片と押さえねじとで、天板の後端縁を挟持することにより、該配線ダクトを天板に取り付け、該配線ダクトの上部のうち前記挟持体の取付箇所と同じ部位に、配線ダクトにおける開口部の上面を横切って延びる水平片を備えた補強部材を固着し、該左右補強部材における水平片の相互間に、前記机上パネルの下端が嵌まる断面上向きコ字状のパネル支持体を、当該パネル支持体を挟んだ前後両側にコードを出し入れ自在なコード出し入れ口が開口するようにして固着し、該パネル支持体の底面板、補強板の水平片、配線ダクトの底面板及び挟持体の下部に各々通孔を同心状に穿設し、これら各通孔に机上パネルの下端面から下向き突出した係止棒をブッシュを介して嵌挿することにより、机上パネルの下端を、パネル支持部材に着脱自在に装着すると共に、前記天板の上面に延出してなる前カバー体を、その係合片を前記パネル支持体の前側板と前記机上パネルとの隙間に抜き差し自在に装着して前記配線ダクトに対して着脱可能とし、前記前カバー体における後端縁の適宜箇所に、コード挿通孔を切り開き形成してなるもの（特許文献１参照）等がある。
【特許文献１】実公平３−１２２７０号公報（第３−４頁、第１図、第３図）
【発明の開示】
【発明が解決しようとする課題】
【０００３】
以上のような従来のパーツ受け部材を備えた机は、前記目的を達するものであるが、パネル支持体の底面板、補強板の水平片、配線ダクトの底面板及び挟持体の下部に同心状に穿設された通孔に机上パネルの下端面から下向き突出した係止棒を嵌挿することにより、机上パネルを着脱自在に構成するものであり、机上パネル等のパーツの支持をパーツの種類に応じて効率的に行うための配慮がなされていないものである。
【０００４】
また、前記従来のパーツ受け部材を備えた机は、前記のとおり机上パネルを取り付けるための装置とコードの配線装置とを兼用しており、配線ダクトを天板に取り付け、該配線ダクトに前記パネル支持体を固着してなるため、机上パネル及び液晶アーム等のパーツを机の左右方向の任意位置へ移動させることができないものである。
【０００５】
さらに、前記のような机上パネルを取り付けるための装置とコードの配線装置とを兼用する構成では、前後方向に対向配置した机間での配線等の受け渡しを容易に行うことができない。
【０００６】
さらにまた、前記従来のパーツ受け部材を備えた机において、着脱可能に構成されるカバー体は、後端縁の適宜箇所にコード挿通孔を切り開き形成してなり、この挿通孔を通して配線を行うものであり、配線のやり直し時等においては前記カバー体の脱着が必要となる。
【０００７】
本発明は、前記のような課題を解決するためになされたものであり、前記パーツの支持を前記パーツの種類に応じて効率的にかつ確実に行うことができるパーツ受け部材を備えた机を得ることを目的とする。
【０００８】
また、前記パーツを机の左右方向の任意位置へ移動させることができるパーツ受け部材を備えた机を得ることを目的とする。
【０００９】
さらに、前後方向に対向配置した机間での配線等の受け渡し、及び、配線のやり直し等が容易なパーツ受け部材を備えた机を得ることを目的とする。
【課題を解決するための手段】
【００１０】
本発明に係るパーツ受け部材を備えた机は、机上パネル等のパーツの下部又は机上パネル等を支持する支柱の下部に設けられた係合部材と係合する、左右方向に並設された複数の係合部を有すると共に、前後方向に間隙を空けて配設された２枚の天板の両後端部、又は、１枚の天板の後端部により支持されてなるパーツ受け部材を備えたものである。
【００１１】
また、本発明に係るパーツ受け部材を備えた机は、机上パネル等のパーツの下部又は机上パネル等を支持する支柱の下部に設けられた係合部材と係合する、左右方向に並設された複数の係合部を有すると共に、天板の後端縁と間隙を空けて左右方向に架設された支持ビーム、又は、前記天板の後端部及び前記支持ビームにより支持されてなるパーツ受け部材を備えたものである。
【００１２】
ここで、前記係合部が、机上パネル等のパーツの下部又は机上パネル等を支持する支柱の下部に設けられたピンと嵌合する、左右方向に並設された３個の穴であると好ましい。
【００１３】
また、前記パーツ受け部材を左右方向に移動可能に支持してなると好ましい。
【００１４】
さらに、前記パーツ受け部材の上端位置を前記天板の上面よりも上部位置とすると共に、該パーツ受け部材の前記天板の上面よりも上部位置に、着脱自在又は上下方向に回動可能な配線用カバーを取り付けると共に、該配線用カバーの前下端部と前記天板の上面との間に間隙を設けてなると好ましい。
【発明の効果】
【００１５】
請求項１及び２に係る発明によれば、前記パーツの支持をパーツの種類に応じて効率的にかつ確実に行うことができる。
【００１６】
また、請求項３に係る発明によれば、請求項１及び２の効果に加え、さらに前記パーツの支持をパーツの種類に応じて効率的に行うことができる。
【００１７】
さらに、請求項４に係る発明によれば、請求項１〜３の効果に加え、机上パネル及び液晶アーム等のパーツを左右方向の任意位置への移動させることができる。
【００１８】
さらにまた、請求項５に係る発明によれば、請求項１〜４の効果に加え、対向する天板間の配線等の受け渡し又は天板と机上パネルの後部間の配線等の受け渡しを容易に行うことができる。
【発明を実施するための最良の形態】
【００１９】
実施の形態１．
次に本発明の実施の形態１を添付図面に基づき詳細に説明する。図１及び図２は、本発明の実施の形態１に係るパーツ受け部材を備えた机の例を示す斜視図及び平面図である。なお、以下において、椅子に座って机に向かった状態で、手前側を前、その反対側を後、左側を左、右側を右とする。図１及び図２において、天板１，１・・・は、脚体２，２・・・に取り付けられた天板支持部材３，３・・・により支持されている。また、前後方向に対向配置された天板１，１が左右に並設されており、対面フリーアドレス型レイアウトの連結机が構成されている。前後方向に対向配置された天板１，１の後端部同士の間には間隙が空けられており、この間隙には、パーツ受け部材４が配設されている。パーツ受け部材４は、パーツの例として示した机上パネル５を支持すると共に、前記間隙内を左右方向（図１中の矢印Ａ方向）に移動可能に前記前後方向に対向配置された天板１，１の後端部により支持されている。
【００２０】
図３は、パーツ受け部材周りの構成を示す説明図であり、図３（ａ）は平面図、図３（ｂ）は側面図を示している。なお、図３（ａ）では、図３（ｂ）における机上パネル５及び配線カバー９，９は省略している。図３において、パーツ受け部材４は、支持部材６、支持部材６と固定され机上パネル５等のパーツとの係合部である穴７ａ，７ａ・・・を備えた受け部材７、及び、支持部材６に螺設され、支持部材６とにより天板１の後端部を挟持する固定部材８，８により構成されている。このような簡素な構成により、パーツ受け部材４は、前記のとおり、天板１，１間の間隙Ｂ内を前記左右方向に移動可能となっており、パーツ受け部材４により支持される机上パネル及び液晶アーム等のパーツの、前記左右方向の任意位置への移動を実現することができる。したがって、特に、机の天板上を天板幅よりも幅の狭い机上パネルを移動させることができること、２枚の幅が異なる机上パネルを並設できること等、机上パネル等のパーツの設置自由度を向上することができる。ここで、パーツ受け部材４のみを前記左右方向の任意位置へ移動して、この移動後に机上パネル及び液晶アーム等をパーツ受け部材４に取り付けてもよいし、また、机上パネル及び液晶アーム等をパーツ受け部材４により支持した状態で、前記左右方向の任意位置へ移動させてもよい。また、机上パネル等のパーツの幅が広い場合は、３個以上のパーツ受け部材４を用いて該パーツを支持することもできる。逆にパーツの幅が狭い場合は、１個のパーツ受け部材４により該パーツを支持することもできる。
【００２１】
図３（ａ）に示すように、机上パネル等のパーツとの係合部である穴７ａ，７ａ・・・は受け部材７の左右方向に３個並設されており、これらの穴７ａ，７ａ・・・を利用して机上パネル５等のパーツを支持することができる。すなわち、机上パネル５等のパーツ下部に取り付けた係合部材であるピン５ｂを穴７ａに嵌入することにより、机上パネル５等のパーツはパーツ受け部材４により支持される。このようなパーツ受け部材４，４・・・を用いて複数の机上パネルを支持する例を図４及び図５に示す。図４は、２枚の独立した机上パネルを左右に並設した例を示す斜視図である。また、図５は、パネル支柱で支持されると共にパネル支柱で連結された２枚の机上パネルを左右に並設した例を示す斜視図である。さらに、図６は前記左右に並設した机上パネルの中間部をパーツ受け部材４により支持する方法を示す説明図であり、図６（ａ）は図４の構成の場合を、図６（ｂ）は図５の構成の場合を示している。
【００２２】
図４における机上パネル１７，１７の左右下面には係合部材であるピン１７ａが固定されており、図６（ａ）の例のように、パーツ受け部材４の受け部材７の３個の穴７ａ，７ａ・・・の左右端側の２個を使用して、これらの穴７ａ，７ａに、机上パネル１７，１７下面に固定されたピン１７ａ，１７ａを各々嵌入することにより、並設した机上パネル１７，１７の中間部はパーツ受け部材４により支持される。
【００２３】
図５におけるパネル支柱１９には、上下方向の溝１９ａ，１９ａ・・・が前後左右に形成されているため、これらの溝により机上パネル１８を支持することができる。したがって、図５における中間のパネル支柱１９の左右側の上下方向の溝１９ａ，１９ａにパネル１８，１８を嵌めこむことにより、中間の支柱１９は左右のパネル１８，１８で共用することができる。パネル支柱１９下面には係合部材であるピン１９ｂが固定又は一体成形されており、図６（ｂ）の例のように、パーツ受け部材４の受け部材７の３個の穴７ａ，７ａ・・・の中央の１個を使用して、この穴７ａに、パネル支柱１９下面のピン１９ｂを嵌入することにより、パネル支柱１９はパーツ受け部材４により支持される。このようにして、並設した机上パネル１８，１８の中間部はパーツ受け部材４により支持される。
【００２４】
このように、パーツ受け部材４の受け部材７に左右方向の３個の穴７ａ，７ａ・・・を並設し、これらの穴７ａ，７ａ・・・を使い分けることにより、図４の机上パネルと図５の机上パネルとの変更を、並設する机上パネル間のパーツ受け部材４を移動させずに容易に行うことができる。すなわち、パーツ受け部材４の、天板１を挟持する支持部材６及び固定部材８とを連結するボルトを緩めてパーツ受け部材４を移動させた後、前記ボルトを締める等の作業が不要になる。したがって、特に、対面フリーアドレス型レイアウトの連結机等の中間部にパーツ受け部材４を設ける場合において、前記机上パネル変更作業の効率化を図る効果が大きいといえる。
【００２５】
以上の説明においては、パーツ受け部材４の受け部材７に左右方向の３個の穴を並設する場合を示したが、前記受け部材７に左右方向の２個の穴を並設してもよい。前記受け部材７に左右方向の２個の穴を並設した場合は、これら２個の穴により、左右に並設した２枚の独立した机上パネルの中間部を図４のように支持することができる。また、前記２個の穴のどちらかを中間の共通支柱の下部に移動させることにより、この中間の共通支柱の下部の穴により、左右に並設した中間の共通支柱で連結してなる机上パネルの中間部を図５のように支持することができる。さらに、パーツ受け部材４の受け部材７には、４個以上の左右方向の穴を並設して、これらの穴を利用して机上パネル等のパーツを支持することもできる。さらにまた、１個のパーツ受け部材４で液晶アーム等のパーツを支持する場合に前記複数の穴を使用すれば、パーツの鉛直軸回りの回転を防止することができると共にパーツの支持を安定かつ確実に行うことができる。このようにパーツ受け部材に机上パネル等のパーツを支持するための複数の係合部を設けることにより、机上パネル等のパーツの支持をパーツの種類に応じて効率的にかつ確実に行うことができる。
【００２６】
図５の構成のパネル支柱１９には、前記のとおり上下方向の溝１９ａ，１９ａ・・・が前後左右に形成されている。したがって、前記のとおり左右に並設した机上パネル１８，１８で共用することができると共に、前後側の上下方向の溝１９ａ，１９ａに机上仕切パネル等を容易に取り付けることができる。例えば、図５に示すように机上仕切パネル２０を容易に取り付けることができる。すなわち、机上仕切パネル２０の後部はパネル支柱１９の前側の上下方向の溝１９ａに嵌め込まれており、机上仕切パネル２０の前部は机１の前端部１ｂに掛止する取り付け金具２１により固定されている。
【００２７】
図３（ｂ）に示すように、パーツ受け部材４の受け部材７の上端は天板１，１の上面よりも上部位置にあり、この受け部材７には、その前後に配線カバー９，９が、天板１，１の上面よりも上部位置に着脱自在に取り付けられている。また、配線カバー９，９は、その前下端部と天板１，１の上面との間に間隙（図３（ｂ）中のＣ参照）を設けるように、パーツ受け部材４の受け部材７に取り付けられている。さらに、配線カバー９，９は、パーツ受け部材４の受け部材７に枢着され、上下方向に回動可能に（図３（ｂ）中のＤ参照）支持されている。
【００２８】
前記のとおり、パーツ受け部材４の受け部材７の上端は天板１，１の上面よりも上部位置にあるため、この受け部材７により支持される机上パネル５の下端５ａは天板１，１の上面よりも上部位置にあることになる。また、配線カバー９，９は、パーツ受け部材４の受け部材７の天板１，１の上面よりも上部位置に着脱自在に取り付けられている。また、配線カバー９，９は、これら配線カバーの後端縁等に配線用の切り欠きを形成せずに、配線カバー９，９の前下端部と天板１，１の上面との間に前記間隙を設ける共に、前記のとおり上下方向に回動可能に支持されてなるものである。したがって、配線カバー９，９を上方に回動させて該配線カバー９を開けるか、あるいは、配線カバー９，９を取り外すことにより、対向する机間（天板１，１間）では、パーツ受け部材４の受け部材７がある左右方向の位置を除けば、机上パネル５の下端５ａの下部で、直線的に（図３（ｂ）中の矢印Ｅ参照）配線等の受け渡しを行うことができる。このように、対向する机間（天板１，１間）での配線等の受け渡しの容易化を図ることができる。さらに、配線のやり直し時等においても配線カバー９，９を脱着する必要がない。さらにまた、配線カバー９，９とパーツ受け部材４の受け部材７との枢着部は摺動可能であるため、図１のようにパーツ受け部材４は配線カバー９，９に対して前記左右方向に相対移動可能であり、配線カバー９，９の位置を変えずに、机上パネル及び液晶アーム等のパーツを前記左右方向に移動することができる。
【００２９】
また、図３（ｂ）において、天板１，１の後部下方には、パーツ受け部材４の前記左右方向への移動と干渉しない位置に、配線ダクト１０，１０が配設されており、この配線ダクト１０，１０を利用して配線の収納及びコンセントの配設等を行うことができる。
【００３０】
図１において、脚体２は、脚柱２ａ，２ａ及びこれら脚柱の上部間に架設した横架ビーム２ｂ並びに横架ビーム２ｂ下部に配設され脚柱２ａ，２ａと連結されたサイド幕板２ｃにより構成されている。また、図２において、脚体２，２同士は、連結ビーム１１により連結されており机全体の構造強度が高められている。さらに、前後左右の天板間に配設された中央の脚体２には、その脚柱２ａ，２ａに支持ブラケット１２，１２が連結されており、これら支持ブラケット１２，１２も各々天板１，１を支持する構造となっている。
【００３１】
図７は、支持ブラケットの脚柱への取り付け構造を示す説明図である。支持ブラケット１２は天板１を支持する支持板１３、支持板１３と連結されるブラケット１４、及び、ブラケット１４と連結され脚柱２ａと当接する支持板１５により構成されており、支持板１３、ブラケット１４及び支持板１５は溶接等により固定されている。また、連結板１４には、その後側に鉤状係合部１４ａが形成されている。支持ブラケット１２の鉤状係合部１４ａが脚柱２ａの係合部１６に係合することにより、支持ブラケット１２は脚柱２ａと容易に連結されると共に、支持ブラケット１２の支持板１５は脚柱２ａの係合部１６下部と当接する。したがって、支持ブラケット１２に作用する天板１，１の荷重は脚柱２ａを介して、脚２及び連結ビーム１１等からなる構造体に伝達される。このような簡素な構成である支持ブラケット１２を脚柱２ａと連結することにより、天板１，１の支持強度を向上することができる。
【００３２】
図８及び図９は、液晶アームを机上パネルにより支持する構成例を示す斜視図及び右側面部分断面図である。液晶アーム２２は液晶モニター２３及び支持アーム２４により構成され、支持部材２５を介して机上パネル１７により支持される。机上パネル１７には、その上下に左右方向の上部係合溝１７ｃ及び下部係合溝１７ｄが形成されており、支持部材２５の上部支持部材２５ａを前記上部係合溝１７ｃに係合させ、支持部材２５の下部支持部材２５ｂを前記下部係合溝１７ｄに係合させ、ボルト２５ｃにより上部支持部材２５ａ及び下部支持部材２５ｂを連結する。このような机上パネル１７を用いて液晶アーム２２を支持する構成により、液晶アーム２２を机上パネル１７の上部係合溝１７ｃ及び下部係合溝１７ｄの左右方向の任意位置に取り付けることができると共に左右方向に容易に移動させることができる（図８の矢印Ｆ参照）。
【００３３】
以上においては、本発明の実施の形態１に係るパーツ受け部材を備えた机の例として、前後左右に天板を並設した対面フリーアドレス型レイアウトついて説明したが、本発明の実施の形態１に係るパーツ受け部材を備えた机は、このような適用例に限定されるものではない。すなわち、本発明の実施の形態１に係るパーツ受け部材を備えた机は、２個の机を対向配置した対面型レイアウト及び対面Ｌ型レイアウト等における、天板間に間隙を空けて配設する構成に容易に適用することができる。
【００３４】
実施の形態２．
次に本発明の実施の形態２を添付図面に基づき詳細に説明する。図１０は、本発明の実施の形態２に係るパーツ受け部材を備えた机を示す斜視図であり、机を単独配置した例を示している。図１０において、天板１は、その左右端に配設した脚体２，２に取り付けられている天板支持部材３，３・・・により支持されており、天板１の後部には、支持ビーム２６が天板１の後端縁１ａと間隙を空けて左右方向に架設されている。支持ビーム２６はその左右端を支持ビーム受け２７，２７により支持され、支持ビーム受け２７，２７は脚柱２ａ，２ａの上端に固定されている。なお、支持ビーム受け２７は、該支持ビーム受け２７を取り付ける脚柱２ａ上端のキャップを兼ねているが、支持ビーム受け２７を該キャップと別部品としてもよい。また、支持ビーム受け２７，２７は、脚柱２ａ，２ａではなく、横架ビーム２ｂ，２ｂに取り付ける形状とすることもできる。ここで、パーツ受け部材２８は、パーツの例として示した机上パネル５を支持しながら、左右方向（図１０中矢印Ａ方向）に移動可能に支持ビーム２６により支持されている。
【００３５】
図１１は、パーツ受け部材周りの構成を示す側面部分断面図であり、図において、パーツ受け部材２８は、支持部材２９及び机上パネル５等のパーツとの係合部である穴３０ａを備えた受け部材３０により構成されている。なお、受け部材３０は実施の形態１の受け部材７と同様の形状のものを採用しており、パーツ受け部材２８には、左右方向の３個の穴３０ａ，３０ａ・・・が並設されている。また、受け部材３０は、実施の形態１の受け部材７と全く同じ形状として共通化を図ることもできるし、前記受け部材７と別部品とすることもできる。図１１において、受け部材３０側からボルト３１を挿入して、支持部材２９に形成したねじ部２９ａに該ボルト３１を螺着し、このボルト３１を締めることにより、支持部材２９及び受け部材３０が、天板１の後端縁１ａと間隙Ｇを空けて左右方向に架設されてなる支持ビーム２６と固定される。また、パーツ受け部材２８を左右方向（図１０中矢印Ａ方向）に移動する場合は、ボルト３１を緩め、移動後にボルト３１を締めればよい。このような構成により、パーツ受け部材２８は、前記左右方向に移動可能となっている。したがって、図１１のような簡素な構成により、パーツ受け部材２８により支持される机上パネル及び液晶アーム等のパーツの、前記左右方向の任意位置への移動を実現することができる。ここで、パーツ受け部材２８のみを前記左右方向の任意位置へ移動して、この移動後に机上パネル及び液晶アーム等をパーツ受け部材２８に取り付けてもよいし、また、机上パネル及び液晶アーム等をパーツ受け部材２８により支持した状態で、前記左右方向の任意位置へ移動させてもよい。また、机上パネル５等のパーツの幅が広い場合は、３個以上のパーツ受け部材２８を用いて該パーツを支持することもできる。逆にパーツの幅が狭い場合は、１個のパーツ受け部材２８により該パーツを支持することもできる。
【００３６】
以上のような実施の形態２に係るパーツ受け部材２８によっても、実施の形態１のパーツ受け部材４と同様に、机上パネル等のパーツを支持するための複数の係合部を設けているため、前記パーツの支持をパーツの種類に応じて効率的にかつ確実に行うことができる。
【００３７】
パーツ受け部材２８の受け部材３０の上端は天板１の上面よりも上部位置にあり、この受け部材３０には、配線カバー９が、天板１の上面よりも上部位置に着脱自在に取り付けられている。また、配線カバー９は、その前下端部と天板１の上面との間に間隙（図１１中のＣ参照）を設けるように、パーツ受け部材２８の受け部材３０に取り付けられている。さらに、配線カバー９は、パーツ受け部材２８の受け部材３０に枢着され、上下方向に回動可能に（図１１中のＤ参照）支持されている。
【００３８】
したがって、実施の形態１と同様に、天板１と机上パネル５後部との配線等の受け渡し（図１１中の矢印Ｅ参照）の容易化を図ることができる。さらに、配線のやり直し時等においても配線カバー９を脱着する必要がない。さらにまた、配線カバー９とパーツ受け部材２８の受け部材３０との枢着部は摺動可能であるため、パーツ受け部材２８は配線カバー９に対して前記左右方向に相対移動可能であり、図１０のように配線カバー９の位置を変えずに、机上パネル及び液晶アーム等のパーツを前記左右方向に移動することができる。
【００３９】
また、図１１において、天板１の後部下方には、パーツ受け部材２８の前記左右方向への移動と干渉しない位置に、配線ダクト１０が配設されており、この配線ダクト１０を利用して配線の収納及びコンセントの配設等を行うことができる。
【００４０】
以上の説明においては、パーツ受け部材２８が天板１の後端縁１ａと間隙Ｇを空けて左右方向に架設された支持ビーム２６に支持される構成を示したが、パーツ受け部材２８は、例えば実施の形態１においてパーツ受け部材４が天板１，１の後端部により支持されるのと同様に、天板１の後端部及び支持ビーム２６により支持される構成としてもよい。さらに、支持ビーム２６を設けずに、パーツ受け部材２８を天板１の後端部に固定する図示しない支持部材及び固定部材（例えば、図３における支持部材６及び固定部材８からなる構成で、一方の天板１の後端部のみを挟持するもの）を用いて、パーツ受け部材２８を天板１の後端部により支持することもできる。
【００４１】
以上においては、本発明の実施の形態２に係るパーツ受け部材を備えた机の例として、机を単独配置した場合について説明したが、本発明の実施の形態２に係るパーツ受け部材を備えた机は、このような適用例に限定されるものではない。すなわち、本発明の実施の形態２に係るパーツ受け部材を備えた机は、机を左右に並設してなる片面フリーアドレス型レイアウト等にも適用することができる。例えば、左右の天板１，１を密着させて机を左右に２個並設し、左側の机の左側の脚体の後部の脚柱２ａに固定された支持ビーム受け２７により支持ビーム２６の左端を支持し、右側の机の右側の脚体の後部の脚柱２ａに固定された支持ビーム受け２７により支持ビーム２６の右端を支持することにより、左右の天板１，１の後部に支持ビーム２６を架設して、この支持ビーム２６によりパーツ受け部材２８を支持することにより、左右に並設した机の後部の左右方向の任意位置へ該パーツ受け部材２８を移動させることができ、したがって、机上パネル及び液晶アーム等のパーツを左右に並設した机の後部の左右方向の任意位置へ移動させて使用することができる。
【００４２】
さらに、実施の形態２のような支持ビーム２６を架設して、この支持ビーム２６を用いてパーツ受け部材２８を支持する構成は、実施の形態１で説明したような対面型レイアウトに適用することもできる。
【００４３】
なお、本明細書における「机」には、いわゆるテーブルの概念も含むものである。
【図面の簡単な説明】
【００４４】
【図１】本発明の実施の形態１に係るパーツ受け部材を備えた机の例を示す斜視図である。
【図２】本発明の実施の形態１に係るパーツ受け部材を備えた机の例を示す平面図である。
【図３】パーツ受け部材周りの構成を示す説明図である。（ａ）は平面図、（ｂ）は側面図を示している。
【図４】２枚の独立した机上パネルを左右に並設した例を示す斜視図である。
【図５】パネル支柱で支持されると共にパネル支柱で連結された２枚の机上パネルを左右に並設した例を示す斜視図である。
【図６】左右に並設した机上パネルの中間部を受け部材により支持する方法を示す説明図である。（ａ）は図４の構成の場合を、（ｂ）は図５の構成の場合を示している。
【図７】支持ブラケットの脚柱への取り付け構造を示す説明図である。
【図８】液晶アームを机上パネルにより支持する構成例を示す斜視図である。
【図９】液晶アームを机上パネルにより支持する構成例を示す右側面部分断面図である。
【図１０】本発明の実施の形態２に係るパーツ受け部材を備えた机の例を示す斜視図である。
【図１１】パーツ受け部材周りの構成を示す側面部分断面図である。
【符号の説明】
【００４５】
Ａ  左右方向                            Ｂ，Ｇ  間隙
１  天板                                １ａ  天板１の後端縁
４  パーツ受け部材                      ５  机上パネル
５ａ  机上パネル５の下端                ５ｂ  ピン
６  支持部材                            ７  受け部材
７ａ  穴                                ８  固定部材
９  配線カバー                          １７  机上パネル
１７ａ  ピン                            １８  机上パネル
１９  パネル支柱                        １９ａ  上下方向の溝
１９ｂ  ピン                            ２６  支持ビーム
２７  支持ビーム受け                    ２８  パーツ受け部材
２９  支持部材                          ２９ａ  ねじ部
３０  受け部材                          ３０ａ  穴
３１  ボルト
【図１】
2005081096.tif 000003
【図２】
2005081096.tif 000004
【図３】
2005081096.tif 000005
【図４】
2005081096.tif 000006
【図５】
2005081096.tif 000007
【図６】
2005081096.tif 000008
【図７】
2005081096.tif 000009
【図８】
2005081096.tif 000010
【図９】
2005081096.tif 000011
【図１０】
2005081096.tif 000012
【図１１】
2005081096.tif 000013